(57)【要約】  【課題】  改ざん防止機能とリキャップ性の両方を備える新規なプラスチック容器を提供すること。  【解決手段】  本発明では、上方に開口し、開口部にフランジ部を有する容器本体Ａと、容器本体Ａを閉じる蓋Ｂとを備えるプラスチック容器であって、容器本体Ａは、フランジ部Ａ２に延設する凹溝１と、フランジ部Ａ２の所定位置に形成する折り曲げ部位とを備え、蓋Ｂは、容器本体の凹溝１に定着する周端部３と、周端部３と連続し、容器本体Ａの凹溝１の内側壁１１と嵌合する第一嵌合壁４と、を備えるプラスチック容器を提供する。また、上記構成に加えて、蓋Ｂが、第一嵌合壁４の内側の所定位置に、容器本体Ａ開口部Ａ１の内壁面Ａ１１と嵌合する第二嵌合壁５を備える構成のプラスチック容器を提供する。このプラスチック容器は、不正開封や改ざんを外観から容易に判別でき、かつ、リキャップできる。  【選択図】  図１
2006306475.tif 000002
【特許請求の範囲】
【請求項１】
上方に開口し、開口部にフランジ部を有する容器本体と、前記容器本体を閉じる蓋とを備えるプラスチック容器であって、
前記容器本体は、前記フランジ部に延設する凹溝と、前記フランジ部の所定位置に形成する折り曲げ部位とを備え、
前記蓋は、前記容器本体の前記凹溝に定着する周端部と、前記周端部と連続し、前記容器本体の前記凹溝の内側壁と嵌合する第一嵌合壁と、を備えるプラスチック容器。
【請求項２】
前記蓋は、前記第一嵌合壁よりも内側の所定位置に、前記容器本体開口部の内壁面と嵌合する第二嵌合壁を備えることを特徴とする請求項１記載のプラスチック容器。
【請求項３】
前記折り曲げ部位に、ミシン目又は切り欠きを形成することを特徴とする請求項１又は請求項２記載のプラスチック容器。
【請求項４】
容器本体の凹溝の内側壁又は容器本体開口部の内壁面、若しくは蓋の第一嵌合壁又は第二嵌合壁のいずれか又は複数に、一つ又は複数の凸部を形成することを特徴とする請求項１から請求項３のいずれか一項記載のプラスチック容器。
【発明の詳細な説明】
【技術分野】
【０００１】
本発明は、不正開封や改ざんを外観から識別でき、かつ、リキャップ性を備えるプラスチック容器に関する。
【背景技術】
【０００２】
食品業界などを中心に、プラスチック容器の中に内容物を収容し、商品として販売する形態が広く普及している。
【０００３】
プラスチック容器を用いた商品の場合、改ざんを防止する必要がある。例えば、流通段階や店頭陳列段階などにおいて、不正開封後（又は、不正開封し、内容物を改ざんした後）、その容器に再び蓋をした場合、蓋を開けたことを識別できるように、予め、プラスチック容器を設計する必要がある。
【０００４】
一方、消費者の間では、容器のリキャップ性に対するニーズも高い。例えば、内容物の一部を利用し、残りを保存したい場合、その容器に再度蓋をして保存できるほうが、利便性が高い。
【０００５】
容器の改ざん防止に関して、例えば、以下の文献が開示されている。特許文献１には、ヒートシールを用いて改ざんを防止する冷菓用容器が記載されている。特許文献２には、シュリンクシールを用いた改ざん防止手段が記載されている。特許文献３には、蓋を開ける際に、係止片が破断させることにより、不正開封を防止する密閉容器が記載されている。
【特許文献１】特開２００３−２２１０５５号公報
【特許文献２】特開２００３−２３１５３９号公報
【特許文献３】特開２００３−２５２３５８号公報
【発明の開示】
【発明が解決しようとする課題】
【０００６】
一般的に、改ざん防止機能とリキャップ性の両方を備える容器を設計することは難しい。例えば、蓋を開けた際に、容器の一部分が破断する構成にした場合、破断部位を確認することにより不正開封や改ざんを容易に判別できるが、容器の一部分を破断させたことによりリキャップ性が損なわれやすい。一方、リキャップ性に重点を置いて容器を設計すると、不正に蓋を開けた後、蓋を閉めることができるので、不正開封や改ざんの判別が難しくなる場合が多い。
【０００７】
本発明は、上記事項を勘案しつつ、改ざん防止機能とリキャップ性の両方を備える新規なプラスチック容器を提供することを主な目的とする。
【課題を解決するための手段】
【０００８】
本発明では、上方に開口し、開口部にフランジ部を有する容器本体と、前記容器本体を閉じる蓋とを備えるプラスチック容器であって、容器本体は、フランジ部に延設する凹溝と、フランジ部の所定位置に形成する折り曲げ部位とを備え、蓋は、容器本体の凹溝に定着する周端部と、前記周端部と連続し、容器本体の凹溝の内側壁と嵌合する第一嵌合壁と、を備えるプラスチック容器を提供する。
また、上記構成に加えて、前記蓋が、前記第一嵌合壁の内側の所定位置に、容器本体開口部の内壁面と嵌合する第二嵌合壁を備える構成のプラスチック容器を提供する。
【０００９】
この容器では、容器本体の凹溝の内側壁と、蓋の第一嵌合壁とを嵌合することにより、蓋を閉じる。また、その部分に加えて、容器本体開口部の内壁面と、蓋の第二嵌合壁とでも嵌合することにより、より強固に蓋を閉じることができる。
【００１０】
容器本体の凹溝の外側壁は、蓋を開けにくくする機能を持つ。この容器では、蓋を閉じた際、蓋の周端部が、容器本体の凹溝に定着する。そのため、容器本体の凹溝の外側壁は、蓋の周端縁と接近し、蓋を開けようとしても、蓋の周端部と容器本体との間に指先などを差し込むことは難しく、蓋を容易に開けることができない。
【００１１】
折り曲げ部位は、蓋を開ける際に用いる部位で、不正開封を外観から判別できるようにする機能を持つ。前記の通り、そのままでは、蓋を容易に開けることができないので、蓋を開ける際に、折り曲げ部位に切れ目を入れ、折り曲げ部位を押し下げ、蓋の周端部と容器本体との間に指先などを差し込める状態にし、蓋を開ける。また、蓋を開ける際に、折り曲げ部位に切れ目を入れるため、開封したかどうかを、外観から容易に判別できる。
【００１２】
本発明に係るプラスチック容器は、蓋を開ける際に、容器本体と蓋との嵌合部分を破断しないため、蓋を開けた後、再度蓋を閉めることができる。即ち、リキャップ性を備える。
また、折り曲げ部位の切れ目を確認することにより、外観から容易に、開封の有無を判別できる。
【発明の効果】
【００１３】
本発明に係るプラスチック容器は、不正開封や改ざんを外観から容易に判別でき、かつ、リキャップできる。
【発明を実施するための最良の形態】
【００１４】
以下、本発明を実施するための好適な形態について、添付図面を参照にしながら説明する。
【００１５】
図１は本発明に係るプラスチック容器の断面模式図、図２は同外観斜視模式図、図３は本発明に係る容器本体の上方視模式図である。
【００１６】
図１から図３に示すプラスチック容器は、上方に開口する容器本体Ａと、容器本体Ａを閉じる蓋Ｂとを備え、容器本体Ａは、開口部Ａ１にフランジ部Ａ２を有する。
【００１７】
なお、図２及び図３では、容器を上方視略円形に形成しているが、本発明は、これに限定されない。即ち、本発明は、例えば、上方視略距形状、上方視多角形状などの容器に適用可能であり、また、例えば、容器本体Ａの側壁部Ａ３又は底部Ａ４、若しくは蓋Ｂの天板部Ｂ１の形状を変更することにより、ソフトクリームアイス用の容器などにも適用可能である。
【００１８】
容器本体Ａは、フランジ部Ａ２に延設する凹溝１と、Ａ２フランジ部の所定位置に形成する折り曲げ部位２（図２、図３参照）とを備える。
一方、蓋Ｂは、容器本体Ａの凹溝１に定着する周端部３と、周端部３と連続し、容器本体Ａの凹溝１の内側壁１１と嵌合する第一嵌合壁４と、第一嵌合壁４よりも内側に位置し、容器本体Ａ開口部Ａ１の内壁面Ａ１１と嵌合する第二嵌合壁５を備える。
なお、前記各図では、蓋Ｂを落し蓋のような形状にし、第二嵌合壁５を備える構成にしているが、本発明はそのような場合に狭く限定されない。即ち、少なくとも第一嵌合壁４を備えていれば、容器本体Ａと蓋Ｂとの嵌合は可能であり、本発明は、第一嵌合壁４のみを備える構成の場合も包含する。
【００１９】
凹溝１は、フランジ部Ａ２の外周縁Ａ２１に沿って下方に突出させ、断面略凹形に形成する。凹溝１には、蓋Ｂを閉じる（矢印Ｘ１）際、蓋Ｂの周端部３が定着する。
【００２０】
凹溝１の内側壁１１は、蓋Ｂの第一嵌合壁４と嵌合し、蓋Ｂを閉じる機能を持つ。容器本体Ａの凹溝１の内側壁１１と蓋Ｂの第一嵌合壁４は、蓋Ｂの開閉の際にも、破断せず、その形状を保持するため、リキャップ可能である。
また、前記各図の場合、凹溝１の内側壁１１に加えて、容器本体Ａ開口部Ａ１の内壁面Ａ１１でも、蓋Ｂ（の第二嵌合壁５）と嵌合するため（二箇所で内外から嵌合するため）、嵌合を強固にできる。
その他、容器本体Ａの凹溝１の内側壁１１、容器本体Ａ開口部Ａ１の内壁面Ａ１１、蓋Ｂの第一嵌合壁４、蓋Ｂの第二嵌合壁５、のいずれか又は複数に、一つ又は複数の凸部（例えば、図３の符号１３、図１の符号４１など参照）、を形成してもよい。これにより、蓋Ｂをより外れにくくでき、嵌合をより強固にできる。
【００２１】
容器本体Ａの凹溝１の内側壁１１と、容器本体Ａ開口部Ａ１の内壁面Ａ１１との間に挟まれた凸状部６は、蓋Ｂを閉じる際に、蓋Ｂの第一嵌合壁４と第二嵌合壁５との間に挟まれた空間７に嵌め込む。なお、本発明に係るプラスチック容器は、図２及び図３に示すように、凸状部６に所定の切込み部分６１を設ける構成にしてもよい。これにより、容器内と外との間の空気の移動が可能になり、蓋Ｂの開閉が容易になる。
【００２２】
凹溝１の外側壁１２は、前記の通り、蓋Ｂを開けにくくする機能を持つ。蓋Ｂを閉じた際、蓋Ｂの周端部３は、容器本体Ａの凹溝１に定着した状態になる。そして、蓋Ｂを閉じた状態の場合、凹溝１の外側壁１２と蓋Ｂの周端部３とが接近しているため、蓋Ｂを開けようとしても、蓋Ｂの外周端Ｂ１と容器本体Ａのフランジ部Ａ２上面との間に指先などを差し込むことは難しく、蓋Ｂを容易に開けることができない。
【００２３】
また、凹溝１の外側壁１２は、蓋Ｂを閉める際のガイドとしての機能も持つ。例えば、プラスチック容器の中に内容物を収容した商品を製造する場合、容器本体Ａと蓋Ｂとを連続的に嵌合する必要がある。その際、凹溝１の外側壁１２が蓋Ｂを嵌合位置に導くため、商品製造時などに、連続的に嵌合でき、かつ、嵌合ミスの頻度を抑制できる。
【００２４】
折り曲げ部位２は、蓋Ｂを開ける際に用いる部位で、不正開封を外観から判別できるようにする機能を持つ。
前記の通り、このプラスチック容器は、そのままでは、蓋Ｂを容易に開けることができないように構成している。そこで、蓋Ｂを開ける際、折り曲げ部位２に切れ目を入れ、折り曲げ部位２を押し下げ、蓋Ｂの周端部３と容器本体Ａのフランジ部Ａ２との間に指先などを差し込める状態にし、蓋Ｂを開ける（詳細は後述する）。また、蓋Ｂを開ける際、折り曲げ部位２に切れ目を入れることにより折り曲げ部位２が破断し、折り曲げ部位２を、切れ目を入れる前の状態に戻すことができないため、開封したかどうかを、外観から容易に判別できる。
折り曲げ部位２には、予め、ミシン目（符号２１）又は切り欠き（図示せず）を形成してもよい。これにより、蓋を開ける際に、折り曲げ部位２に容易に切れ目を入れることができる。
【００２５】
なお、本発明に係るプラスチック容器の材質は、特に限定されないが、外力により撓み変形可能な可撓性部材、例えば、ポリスチレン（ＰＳ）、ポリエチレン（ＰＥ）、ポリプロピレン（ＰＰ）、塩化ビニル（ＰＶＣ）、ポリエチレンテフタレート（ＰＥＴ）などの合成樹脂が好適である。また、透明・不透明のいずれでもよく、例えば、色のついた合成樹脂を用いてもよい。
【００２６】
その他、本発明に係るプラスチック容器には、次のような有利性がある。
（１）このプラスチック容器は、シュリンクフィルムやヒートシールなどを用いていないため、製品の包装工程などにおいて、容器に熱を加える必要がない。従って、例えば、冷菓など、冷温条件下で流通する食品などにも適用しやすい。
（２）このプラスチック容器を構成する部材は、容器本体と蓋のみであり、構造も比較的シンプルである。従って、このプラスチック容器は、少ない工程で、安価に、大量に生産できる。
【００２７】
続いて、図４は、折り曲げ部位２を押し下げ、蓋Ｂを開く過程を示す模式図である。なお、図４の各図は、図３のＩ−Ｉ断面を模式的に示した図である。
【００２８】
本発明に係るプラスチック容器（図４（Ａ）参照）の蓋Ｂを開く際には、まず、折り曲げ部位２（図３参照）に切れ目を入れた後、折り曲げ部位２を押し下げる（図４（Ｂ）矢印Ｘ２参照）。これにより、蓋Ｂの周端部３が露出し、蓋Ｂの周端部３と容器本体Ａのとの間に指先などを差し込める状態になる。そこで、指先などを用いて蓋Ｂを取り外す（図４（Ｃ）矢印Ｘ３参照）。
【００２９】
図４（Ｃ）に示す通り、蓋Ｂを開けた後も、容器本体Ａ（凹溝１の内側壁１１と開口部Ａ１の内壁面Ａ１１）及び蓋Ｂ（第一嵌合壁４、第二嵌合壁５）は、破断せずにそのまま保存されているため、リキャップが可能である。また、折り曲げ部位２は、切れ目を入れて破断させたため、押し下げられた状態のまま元に戻らない。従って、不正開封を外観から容易に判別できる。
【産業上の利用可能性】
【００３０】
本発明に係るプラスチック容器は、食品容器として用いることができるほか、容器の中に内容物を収容して販売などする商品に、広く用いることができる。
【図面の簡単な説明】
【００３１】
【図１】本発明に係るプラスチック容器の断面模式図。
【図２】本発明に係るプラスチック容器の外観斜視模式図。
【図３】本発明に係る容器本体Ａの上方視模式図。
【図４】折り曲げ部位２を押し下げて、蓋Ｂを開く過程を示す模式図。
【符号の説明】
【００３２】
１      凹溝
１１    内側壁
２      折り曲げ部位
３      周端部
４      第一嵌合壁
５      第二嵌合壁
Ａ      容器本体
Ａ１    開口部
Ａ１１  内壁面
Ａ２    フランジ部
Ｂ      蓋
【図１】
2006306475.tif 000003
【図２】
2006306475.tif 000004
【図３】
2006306475.tif 000005
【図４】
2006306475.tif 000006